(57)【特許請求の範囲】
【請求項１】
コンクリート基礎に構造部材を固定するためのアンカーボルト装置であって、
第一端部と第二端部との間に延び、拡径部と、シャンク部と、テール部とを有する第一アンカーボルトであって、前記第一アンカーボルトの前記拡径部は、前記第一アンカーボルトの前記第一端部から拡径部センターラインに沿って延び、前記第一アンカーボルトの前記拡径部センターラインを横切る拡径部断面を形成し、前記第一アンカーボルトの前記テール部は、前記第一アンカーボルトの前記第二端部からテール部センターラインに沿って延び、前記第一アンカーボルトの前記テール部センターラインを横切るテール部断面を形成し、前記第一アンカーボルトの前記シャンク部は、前記第一アンカーボルトの前記拡径部と前記テール部との間に配置され、シャンク部センターラインに沿って延び、前記第
一アンカーボルトの前記シャンク部センターラインを横切り前記拡径部断面よりも小さいシャンク部断面を形成する第一アンカーボルトと、
前記第一アンカーボルトの前記第一端部に設けられ前記第一アンカーボルトを前記構造部材に固定するための第一カップリングを備え、前記第一カップリングは前記第一アンカーボルトの前記第一端部から前記第一アンカーボルトの前記拡径部内部に向けて延出する雌ねじ部と、
前記第一アンカーボルトの前記テール部に配置される第二カップリングと、
前記第一アンカーボルトの前記テール部に前記第二カップリングによって接続される係止部材と、を備え、
前記テール部は、前記第一アンカーボルトの前記第二端部と前記第一アンカーボルトの前記シャンク部との間に外面を有し、
前記係止部材は、前記第一アンカーボルトの前記テール部の前記外面から離れる方向に外向きに延び、
前記第二カップリングは、前記第一アンカーボルトの前記テール部の前記外面から外向きに延びるカラーと、前記カラーと前記第一アンカーボルトの前記第二端部との間に延びるスタッドとを備える
ことを特徴とするアンカーボルト装置。
【請求項２】
コンクリート基礎に構造部材を固定するためのアンカーボルト装置であって、
第一端部と第二端部との間に延び、拡径部と、シャンク部と、テール部とを有する第一アンカーボルトであって、前記第一アンカーボルトの前記拡径部は、前記第一アンカーボルトの前記第一端部から拡径部センターラインに沿って延び、前記第一アンカーボルトの前記拡径部センターラインを横切る拡径部断面を形成し、前記第一アンカーボルトの前記テール部は、前記第一アンカーボルトの前記第二端部からテール部センターラインに沿って延び、前記第一アンカーボルトの前記テール部センターラインを横切るテール部断面を形成し、前記第一アンカーボルトの前記シャンク部は、前記第一アンカーボルトの前記拡径部と前記テール部との間に配置され、シャンク部センターラインに沿って延び、前記第一アンカーボルトの前記シャンク部センターラインを横切り前記拡径部断面よりも小さいシャンク部断面を形成する第一アンカーボルトと、
前記第一アンカーボルトの前記第一端部に設けられ前記第一アンカーボルトを前記構造部材に固定するための第一カップリングを備え、前記第一カップリングは前記第一アンカーボルトの前記第一端部から前記第一アンカーボルトの前記拡径部内部に向けて延出する雌ねじ部と、
前記第一アンカーボルトの前記テール部に配置される第二カップリングと、
前記第一アンカーボルトの前記テール部に前記第二カップリングによって接続される係止部材と、を備え、
前記テール部は、前記第一アンカーボルトの前記第二端部と前記第一アンカーボルトの前記シャンク部との間に外面を有し、
前記係止部材は、前記第一アンカーボルトの前記テール部センターラインに対して傾斜する係止部材平面内で前記第一アンカーボルトの前記テール部の前記外面から離れる外向きに延び、前記第一アンカーボルトが前記コンクリート基礎から抜けるのに抗する円錐台を形成する
ことを特徴とするアンカーボルト装置。
【請求項３】
コンクリート基礎に構造部材を固定するためのアンカーボルト装置であって、
第一端部と第二端部との間に延び、拡径部と、シャンク部と、テール部とを有する第一アンカーボルトであって、前記第一アンカーボルトの前記拡径部は、前記第一アンカーボルトの前記第一端部から拡径部センターラインに沿って延び、前記第一アンカーボルトの前記拡径部センターラインを横切る拡径部断面を形成し、前記第一アンカーボルトの前記テール部は、前記第一アンカーボルトの前記第二端部からテール部センターラインに沿っ
て延び、前記第一アンカーボルトの前記テール部センターラインを横切るテール部断面を形成し、前記第一アンカーボルトの前記シャンク部は、前記第一アンカーボルトの前記拡径部と前記テール部との間に配置され、シャンク部センターラインに沿って延び、前記第一アンカーボルトの前記シャンク部センターラインを横切り前記拡径部断面よりも小さいシャンク部断面を形成する第一アンカーボルトと、
前記第一アンカーボルトの前記第一端部に設けられ前記第一アンカーボルトを前記構造部材に固定するための第一カップリングを備え、前記第一カップリングは前記第一アンカーボルトの前記第一端部から前記第一アンカーボルトの前記拡径部内部に向けて延出する雌ねじ部と、
前記第一アンカーボルトの前記テール部に配置される第二カップリングと、を備え、
前記第二カップリングにおいて前記第一アンカーボルトと接続される第二アンカーボルトを備え、前記第二アンカーボルトは前記第一端部と前記第二端部との間に延び、拡径部、シャンク部、およびテール部を備える
ことを特徴とするアンカーボルト装置。
【請求項４】
コンクリート基礎に構造部材を固定するためのアンカーボルト装置であって、
第一端部と第二端部との間に延び、拡径部と、シャンク部と、テール部とを有する第一アンカーボルトであって、前記第一アンカーボルトの前記拡径部は、前記第一アンカーボルトの前記第一端部から拡径部センターラインに沿って延び、前記第一アンカーボルトの前記拡径部センターラインを横切る拡径部断面を形成し、前記第一アンカーボルトの前記テール部は、前記第一アンカーボルトの前記第二端部からテール部センターラインに沿って延び、前記第一アンカーボルトの前記テール部センターラインを横切るテール部断面を形成し、前記第一アンカーボルトの前記シャンク部は、前記第一アンカーボルトの前記拡径部と前記テール部との間に配置され、シャンク部センターラインに沿って延び、前記第一アンカーボルトの前記シャンク部センターラインを横切り前記拡径部断面よりも小さいシャンク部断面を形成する第一アンカーボルトと、
前記第一アンカーボルトの前記第一端部に設けられ前記第一アンカーボルトを前記構造部材に固定するための第一カップリングを備え、前記第一カップリングは前記第一アンカーボルトの前記第一端部から前記第一アンカーボルトの前記拡径部内部に向けて延出する雌ねじ部と、
前記第一アンカーボルトの前記拡径部上に脱着自在に保持され、基板とネックとを有するフロート部と、を備え、
前記フロート部の前記基板は、前記第一アンカーボルトの前記拡径部センターラインに対して傾斜する基板平面内で延び、前記ネックは前記基板から前記基板と離隔されたリムに向けて垂下し、前記フロート部の前記ネックには前記第一アンカーボルトの前記第一端部と前記第一アンカーボルトの前記拡径部の少なくとも一部とを収容可能な大きさのキャビティが内部に形成され、
前記フロート部の前記基板と前記ネックとは、合わせて前記リムと反対側の前記フロート部内に前記フロート部の前記キャビティに開口する凹部を形成し、前記フロート部内の前記凹部は、前記コンクリート基礎の硬化中に前記フロート部を前記第一アンカーボルトの前記拡径部上に一時的に保持する締結具を収容可能な大きさとされる
ことを特徴とするアンカーボルト装置。
【請求項５】
コンクリート基礎に構造部材を固定するためのアンカーボルト装置であって、
第一端部と第二端部との間に延び、拡径部と、シャンク部と、テール部とを有する第一アンカーボルトであって、前記第一アンカーボルトの前記拡径部は、前記第一アンカーボルトの前記第一端部から拡径部センターラインに沿って延び、前記第一アンカーボルトの前記拡径部センターラインを横切る拡径部断面を形成し、前記第一アンカーボルトの前記テール部は、前記第一アンカーボルトの前記第二端部からテール部センターラインに沿って延び、前記第一アンカーボルトの前記テール部センターラインを横切るテール部断面を
形成し、前記第一アンカーボルトの前記シャンク部は、前記第一アンカーボルトの前記拡径部と前記テール部との間に配置され、シャンク部センターラインに沿って延び、前記第一アンカーボルトの前記シャンク部センターラインを横切り前記拡径部断面よりも小さいシャンク部断面を形成する第一アンカーボルトと、
前記第一アンカーボルトの前記第一端部に設けられ前記第一アンカーボルトを前記構造部材に固定するための第一カップリングを備え、前記第一カップリングは前記第一アンカーボルトの前記第一端部から前記第一アンカーボルトの前記拡径部内部に向けて延出する雌ねじ部と、
前記第一アンカーボルトの前記拡径部上に脱着自在に保持され、基板とネックとを有するフロート部と、を備え、
前記フロート部の前記基板は前記第一アンカーボルトの前記拡径部センターラインに対して傾斜する基板平面内で延び、前記ネックは前記基板から前記基板と離隔されたリムに向けて垂下し、前記フロート部の前記ネックには前記第一アンカーボルトの前記第一端部と前記第一アンカーボルトの前記拡径部の少なくとも一部とを収容可能な大きさのキャビティが内部に形成され、
前記フロート部は、前記ネックを貫通して延び前記キャビティに開口し、前記フロート部が前記コンクリート基礎に押し込まれる際に前記フロート部の前記基板から背後の空気を抜く少なくとも一つのベントを備える
ことを特徴とするアンカーボルト装置。
【請求項６】
請求項１から請求項５のいずれか１項に記載のアンカーボルト装置であって、さらに
ヘッドと軸部とを有する締結具を備え、前記締結具の前記軸部は前記第一カップリングの前記雌ねじ部内に延びて保持される大きさとされ、前記締結具の前記ヘッドは前記構造部材に当接して前記構造部材を前記第一アンカーボルトの前記拡径部に固定するよう構成されることを特徴とするアンカーボルト装置。
【請求項７】
請求項６に記載のアンカーボルト装置であって、前記雌ねじ部は内部に設けられ、前記締結具の前記軸部には雄ねじが設けられて前記第一カップリングの前記雌ねじ部に螺合して保持され、前記締結具の前記軸部は前記構造部材内に設けられ内部を貫通する開口部内に収容される大きさとされ、前記締結具の前記ヘッドは前記開口部に隣接する前記構造部材に当接し、前記構造部材を前記第一アンカーボルトの前記拡径部に固定する大きさとされることを特徴とするアンカーボルト装置。
【請求項８】
請求項１から請求項５のいずれか１項に記載のアンカーボルト装置であって、前記第一アンカーボルトは、前記第一アンカーボルトの前記シャンク部と前記テール部との間に設けられた屈曲部を有し、前記シャンク部センターラインと前記テール部センターラインとは角度をもって互いに交差することを特徴とするアンカーボルト装置。
【請求項９】
請求項８に記載のアンカーボルト装置であって、前記テール部は前記テール部センターラインに沿って測定可能な所定長さを有し、前記第一アンカーボルトの前記テール部は、前記コンクリート基礎中で前記第一アンカーボルトを前記コンクリート基礎から除去するのに抗する円錐台を形成することを特徴とするアンカーボルト装置。
【請求項１０】
請求項８に記載のアンカーボルト装置であって、前記屈曲部における前記シャンク部センターラインと前記テール部センターラインとの間の前記角度は、８５から９５度の範囲にあることを特徴とするアンカーボルト装置。
【請求項１１】
請求項４または請求項５に記載のアンカーボルト装置であって、さらに
前記第一アンカーボルトの前記テール部に配置される第二カップリングを有することを特徴とするアンカーボルト装置。
【請求項１２】
請求項３または請求項１１に記載のアンカーボルト装置であって、さらに
前記第一アンカーボルトの前記テール部に前記第二カップリングによって接続される係止部材を有し、前記テール部は前記第一アンカーボルトの前記第二端部と前記第一アンカーボルトの前記シャンク部との間に外面を有し、前記係止部材は前記第一アンカーボルトの前記テール部の前記外面から離れる方向に外向きに延びることを特徴とするアンカーボルト装置。
【請求項１３】
請求項２または請求項１２に記載のアンカーボルト装置であって、前記第二カップリングは前記第一アンカーボルトの前記テール部の前記外面から外向きに延びるカラーと、前記カラーと前記第一アンカーボルトの前記第二端部との間に延びるスタッドとを備えることを特徴とするアンカーボルト装置。
【請求項１４】
請求項１または請求項１３に記載のアンカーボルト装置であって、前記第二カップリングの前記スタッドは雄ねじを有し、前記係止部材は前記第二カップリングの前記スタッドを収容する貫通孔を備え、ナットが前記第二カップリングの前記スタッドに螺合されて前記第二カップリングの前記スタッド上に前記係止部材を保持して、前記係止部材が前記第二カップリングの前記カラーと前記ナットとの間に保持されることを特徴とするアンカーボルト装置。
【請求項１５】
請求項１または請求項１２に記載のアンカーボルト装置であって、前記係止部材は前記第一アンカーボルトの前記テール部センターラインに対して傾斜する係止部材平面内で前記第一アンカーボルトの前記テール部の前記外面から離れる外向きに延び、前記第一アンカーボルトが前記コンクリート基礎から抜けるのに抗する円錐台を形成することを特徴とするアンカーボルト装置。
【請求項１６】
請求項１、請求項２、及び請求項１２のいずれか１項に記載のアンカーボルト装置であって、前記第一アンカーボルトの前記拡径部センターライン、前記シャンク部センターライン、および前記テール部センターラインは直線状で同軸に配置されることを特徴とするアンカーボルト装置。
【請求項１７】
請求項１、請求項２、及び請求項１１のいずれか１項に記載のアンカーボルト装置であって、さらに
前記第二カップリングにおいて前記第一アンカーボルトと接続される第二アンカーボルトを備え、前記第二アンカーボルトは前記第一端部と前記第二端部との間に延び、拡径部、シャンク部、およびテール部を備えることを特徴とするアンカーボルト装置。
【請求項１８】
請求項３または請求項１７に記載のアンカーボルト装置であって、前記第二カップリングは前記第二アンカーボルトの前記第一端部から前記第二アンカーボルトの前記拡径部内に内向きに延びる雌ねじ部を備えることを特徴とするアンカーボルト装置。
【請求項１９】
請求項１８に記載のアンカーボルト装置であって、前記第一アンカーボルトの前記テール部は、前記第一アンカーボルトの前記第二端部と前記第一アンカーボルトの前記シャンク部との間に設けられた外面を備え、前記第二カップリングは前記第一アンカーボルトの前記テール部の前記外面から外側に延びるカラーと前記カラーと前記第一アンカーボルトの前記第二端部との間に設けられたスタッドとを備え、前記第二カップリングの前記スタッドには雄ねじが設けられ、前記第二カップリングの前記雌ねじ部には雌ねじが設けられ、前記第二カップリングの前記雌ねじ部は前記第二カップリングの前記スタッドに螺合されて前記第一アンカーボルトの前記テール部を前記第二アンカーボルトの前記拡径部に着脱自在に接続することを特徴とするアンカーボルト装置。
【請求項２０】
請求項３または請求項１７に記載のアンカーボルト装置であって、さらに
前記第二アンカーボルトの前記第二端部に設けられた第三カップリングと、
前記第二アンカーボルトの前記第二端部に前記第三カップリングによって接続される係止部材とを備え、前記第二アンカーボルトの前記テール部は前記第二アンカーボルトの前記第二端部と前記第二アンカーボルトの前記シャンク部との間に設けられた外面を備え、前記係止部材は前記第二アンカーボルトの前記テール部の前記外面から離れる外側に延びて前記第一および第二アンカーボルトが前記コンクリート基礎から抜けるのに抗する円錐台を前記コンクリート基礎に形成することを特徴とするアンカーボルト装置。
【請求項２１】
請求項２０に記載のアンカーボルト装置であって、前記第三カップリングは、前記第二アンカーボルトの前記テール部の前記外面から外側に延びるカラーと、前記カラーと前記第二アンカーボルトの前記第二端部との間に設けられるスタッドとを備え、前記第三カップリングの前記スタッドには雄ねじが設けられ、前記係止部材は前記第三カップリングの前記スタッドを収容する貫通孔を備え、前記第三カップリングの前記スタッドに前記係止部材を前記第三カップリングの前記スタッドに保持するナットが螺合され、前記係止部材が前記第三カップリングの前記カラーと前記ナットとの間に保持されることを特徴とするアンカーボルト装置。
【請求項２２】
請求項１から請求項３のいずれか１項に記載のアンカーボルト装置であって、さらに
前記第一アンカーボルトの前記拡径部上に脱着自在に保持され、基板とネックとを有するフロート部を備えることを特徴とするアンカーボルト装置。
【請求項２３】
請求項５または請求項２２に記載のアンカーボルト装置であって、前記フロート部の前記基板は前記第一アンカーボルトの前記拡径部センターラインに対して傾斜する基板平面内で延び、前記ネックは前記基板から前記基板と離隔されたリムに向けて垂下し、前記フロート部の前記ネックには前記第一アンカーボルトの前記第一端部と前記第一アンカーボルトの前記拡径部の少なくとも一部とを収容可能な大きさのキャビティが内部に形成されることを特徴とするアンカーボルト装置。
【請求項２４】
請求項２３に記載のアンカーボルト装置であって、前記フロート部の前記基板と前記ネックとは、合わせて前記リムと反対側の前記フロート部内に前記フロート部の前記キャビティに開口する凹部を形成し、前記フロート部内の前記凹部は、前記コンクリート基礎の硬化中に前記フロート部を前記第一アンカーボルトの前記拡径部上に一時的に保持する締結具を収容可能な大きさとされることを特徴とするアンカーボルト装置。
【請求項２５】
請求項４、請求項５、及び請求項２４のいずれか１項に記載のアンカーボルト装置であって、さらに
前記フロート部の前記凹部内に収容される大きさとされて、前記締結具が前記フロート部の前記凹部内に収容される際に前記締結具のヘッドを覆い前記コンクリート基礎が流し込まれ均される際の飛散物から前記締結具の前記ヘッドを保護するフレキシブルカバーを備えることを特徴とするアンカーボルト装置。
【請求項２６】
請求項４または請求項２３に記載のアンカーボルト装置であって、前記フロート部は、前記ネックを貫通して延び前記キャビティに開口し、前記フロート部が前記コンクリート基礎に押し込まれる際に前記フロート部の前記基板から背後の空気を抜く少なくとも一つのベントを備えることを特徴とするアンカーボルト装置。
【請求項２７】
請求項１から請求項５のいずれか１項に記載のアンカーボルト装置であって、さらに
前記第一カップリングの前記雌ねじ部内に収容される大きさのプラグ部を有し、前記第一カップリングの前記雌ねじ部を前記コンクリート基礎が流し込まれ均される際の飛散物から保護するねじ保護部を備えることを特徴とするアンカーボルト装置。
【請求項２８】
請求項１から請求項５のいずれか１項に記載のアンカーボルト装置であって、前記第一アンカーボルトの前記拡径部断面は、前記コンクリート基礎に対する前記第一アンカーボルトの前記拡径部の回動に抗する少なくとも一つの平坦面を備えることを特徴とするアンカーボルト装置。
【請求項２９】
請求項１から請求項５のいずれか１項に記載のアンカーボルト装置であって、前記第一アンカーボルトの前記シャンク部は、前記シャンク部に沿って螺旋状に延びる少なくとも一つのねじれ平坦部を有する外面を備えることを特徴とするアンカーボルト装置。
【請求項３０】
コンクリート基礎に構造部材を固定するためのアンカーボルト装置であって、
第一アンカーボルトと、
前記第一アンカーボルトと接続され前記第一アンカーボルトから延びる第二アンカーボルトとを備え、
前記第一および第二アンカーボルトはそれぞれ第一端部と第二端部との間に延び、
前記第一および第二アンカーボルトはそれぞれ拡径部と、シャンク部と、テール部とを備え、
前記第一および第二アンカーボルトの前記拡径部は、前記第一および第二アンカーボルトの前記第一端部からそれぞれ拡径部センターラインに沿って延び、前記第一および第二アンカーボルトの前記拡径部は前記拡径部センターラインを横切る拡径部断面を有し、
前記第一および第二アンカーボルトの前記テール部は、前記第一および第二アンカーボルトの前記第二端部からそれぞれテール部センターラインに沿って延び、前記第一および第二アンカーボルトの前記テール部は前記テール部センターラインを横切るテール部断面を有し、
前記第一および第二アンカーボルトの前記シャンク部は、前記拡径部と前記第一および第二アンカーボルトの前記テール部との間に設けられ、前記シャンク部はシャンク部センターラインに沿って延び、前記第一および第二アンカーボルトの前記シャンク部は前記シャンク部センターラインを横切るシャンク部断面を形成し、前記第一および第二アンカーボルトの前記シャンク部断面は前記第一および第二アンカーボルトの前記拡径部断面よりも小さく、
前記アンカーボルト装置はさらに、前記第一アンカーボルトの前記第一端部に設けられ前記第一アンカーボルトを前記構造部材に固定するための第一カップリングと、
前記第二アンカーボルトの前記第一端部に設けられ、前記第一アンカーボルトの前記テール部の少なくとも一部を収容して前記第一アンカーボルトを前記第二アンカーボルトに接続する第二カップリングとを有することを特徴とするアンカーボルト装置。
【請求項３１】
請求項３０に記載のアンカーボルト装置であって、前記第一および第二アンカーボルトの各々は、それぞれ前記シャンク部と前記テール部との間に設けられた屈曲部を有し、前記第一アンカーボルトの前記シャンク部センターラインと前記テール部センターラインとは、前記第一アンカーボルトの前記屈曲部において互いに第一角度で交差し、前記第二アンカーボルトの前記シャンク部センターラインと前記テール部センターラインとは、前記第二アンカーボルトの前記屈曲部において互いに第二角度で交差することを特徴とするアンカーボルト装置。
【請求項３２】
請求項３１に記載のアンカーボルト装置であって、前記第一アンカーボルトの前記シャンク部センターラインと前記テール部センターラインとの間の前記第一角度は４０度から５０度の範囲であり、前記第二アンカーボルトの前記シャンク部センターラインと前記テール部センターラインとの間の前記第二角度は４０度から５０度の範囲であることを特徴とするアンカーボルト装置。
【請求項３３】
請求項３２に記載のアンカーボルト装置であって、前記第一角度と前記第二角度との合
計は９０度であることを特徴とするアンカーボルト装置。
【請求項３４】
請求項３０に記載のアンカーボルト装置であって、前記第一および第二アンカーボルトの少なくとも一方は直線状であることを特徴とするアンカーボルト装置。
【請求項３５】
請求項３０に記載のアンカーボルト装置であって、さらに
前記第二アンカーボルトの前記第二端部に設けられた第三カップリングと、
前記第二アンカーボルトの前記第二端部と前記第二アンカーボルトの前記シャンク部との間に設けられる外面を有する前記第二アンカーボルトの前記テール部に前記第三カップリングによって接続され、前記第二アンカーボルトの前記テール部の前記外面から離れる外側に向けて前記第二アンカーボルトのテール部の前記テール部センターラインに対して傾斜する面内で延びる第一係止部材と、
前記第一アンカーボルトの前記第二端部と前記第一アンカーボルトの前記シャンク部との間に設けられる外面を有する前記第一アンカーボルトの前記テール部に前記第二カップリングによって接続され、前記第一アンカーボルトの前記テール部の前記外面から離れる外側に向けて前記第一アンカーボルトのテール部の前記テール部センターラインに対して傾斜する面内で延びる第二係止部材とを備えることを特徴とするアンカーボルト装置。
【発明の詳細な説明】
【技術分野】
【０００１】
関連出願の相互参照
本願は、２０１５年７月１６日に出願されたアメリカ特許出願番号１４／８０１，１１８の優先権を主張し、また２０１４年７月１６日に出願されたアメリカ仮出願番号６２／０２５，２７１の利益をも主張する。上記出願の開示事項全体がここに援用される。
【０００２】
本願開示事項は、全体としてアンカーボルトに関する。制限的ではなく例示として、アンカーボルトは、構造部材をコンクリート基礎に固定するために建設業界で広く用いられ、アンカーボルトの少なくとも一部がコンクリート基礎中に埋設される。
【背景技術】
【０００３】
本セクションは、必ずしも先行する技術ではない本願開示事項に関連する背景技術情報を提示するものである。
【０００４】
建設業界において、アンカーボルトは壁などの建築構造をコンクリート基礎に固定するのに広く用いられる公知の装置である。従来、アンカーボルトは鋼鉄製ロッドからなり、「Ｌ」字形状を有する。この「Ｌ」字の水平方向に延出する基部は、一般にアンカーボルトのテールと呼ばれ、「Ｌ」字の垂直方向の延出部は、一般にアンカーボルトのシャンクと呼ばれる。テールの反対側に位置するシャンクの端部には雄ねじが設けられ、ナットがはめ込まれる構造とされる。通常、アンカーボルトはコンクリート基礎が流し込まれる前に配置されるか、またはコンクリートが湿っている間（すなわち、コンクリート基礎が流し込まれた後、コンクリート基礎が硬化する前）にコンクリート基礎中にセットされる。いずれの場合にも、アンカーボルトはコンクリート基礎が硬化する間、コンクリート基礎の型板に固定される取付板によって一時的に定位置に保持される。あるいは、アンカーボルトはコンクリート基礎が硬化する間、コンクリート基礎上に静置されるアンカーボルトフロートによって定位置に保持される。コンクリート基礎が硬化したら、これらの型板、取付板、および／又はアンカーボルトフロートを除去および廃棄し、アンカーボルトのねじ端部がコンクリート基礎から突出した状態とされる。その後、これらのアンカーボルトのねじ付端部に位置合わせされた孔が、壁の一つ以上の構造部材に穿たれる。さらに、アンカーボルトのねじ付端部が孔を通って延出するように、壁の構造部材がアンカーボルト上に配置される。さらに、ナットがアンカーボルトのねじ付端部に螺合され、ナットが壁の構造部材に締め付けられることで、設置工程が完了する。
【発明の概要】
【発明が解決しようとする課題】
【０００５】
従来のアンカーボルトは、アンカーボルトのねじ付端部がコンクリート基礎の取付面から突出することから、壁の構造部材がアンカーボルト上に配置される前には安全上の問題を生じていた。したがって、建設作業員や、他のコンクリート基礎上を歩く人々は、アンカーボルトのねじ付端部につまづくなどして怪我をする可能性があった。加えて、従来のアンカーボルトは、用途に応じて各種のサイズおよび形状を有する。建設業者はこれらの各種の入手可能なアンカーボルトを検討して、配置対象となる特定のコンクリート基礎に適するであろう種類のアンカーボルトを選択しなくてはならない。不適切なアンカーボルトが選択されたり、コンクリート基礎が作業中に変更されたりすると、別の種類のアンカーボルトを注文しなくてはならず、作業遅延および不都合が生じる。これは、コンクリート充填作業の日程を再調整しなくてはならず、完成したコンクリート基礎を前提とする他の作業が遅延する可能性があることから、特に面倒である。したがって、より安全で、作業現場での適応性に優れたアンカーボルト装置が求められている。
【課題を解決するための手段】
【０００６】
本セクションは、開示事項の概括的要約を示すものであり、その全体の範囲ないし全ての特徴を包括的に開示するものではない。
【０００７】
本願開示事項の一側面によれば、コンクリート基礎に構造部材を固定するためのアンカーボルト装置が記載される。このアンカーボルト装置は第一アンカーボルトを備える。第一アンカーボルトは、第一端部と第二端部との間に延び、拡径部と、シャンク部とテール部とを備える。第一アンカーボルトの拡径部は、第一アンカーボルトの第一端部から拡径部センターラインに沿って延びる。第一アンカーボルトの拡径部は、第一アンカーボルトの拡径部センターラインを横断する拡径部断面を有する。第一アンカーボルトのテール部は、第一アンカーボルトの第二端部からテール部センターラインに沿って延びる。第一アンカーボルトのテール部は、第一アンカーボルトのテール部センターラインを横断するテール部断面を有する。第一アンカーボルトのシャンク部は、第一アンカーボルトの拡径部とテール部との間に設けられ、シャンク部センターラインに沿って延びる。第一アンカーボルトのシャンク部は、第一アンカーボルトのシャンク部センターラインを横断するシャンク部断面を有する。シャンク部断面は拡径部断面よりも小さい。第一アンカーボルトを構造部材に固定する第一カップリングが第一アンカーボルトの第一端部に設けられる。第一カップリングは第一アンカーボルトの第一端部から第一アンカーボルトの拡径部に内向きに延びる雌ねじ部を有する。
【０００８】
本願開示事項の別の一側面によれば、アンカーボルト装置は第一アンカーボルトと第二アンカーボルトとを有する。第二アンカーボルトは前記第一アンカーボルトと接続され前記第一アンカーボルトから延びる。第一および第二アンカーボルトのそれぞれは、第一端部と第二端部との間に延び、拡径部と、シャンク部とテール部とを備える。第一および第二アンカーボルトの拡径部は、第一および第二アンカーボルトの第一端部からそれぞれ拡径部センターラインに沿って延びる。第一および第二アンカーボルトの拡径部は、拡径部センターラインを横切る拡径部断面を有する。第一および第二アンカーボルトのテール部は、第一および第二アンカーボルトの第二端部からそれぞれテール部センターラインに沿って延びる。第一および第二アンカーボルトのテール部は、テール部センターラインを横切るテール部断面を有する。第一および第二アンカーボルトのシャンク部は、それぞれ第一および第二アンカーボルトの拡径部とテール部との間に設けられ、シャンク部センターラインに沿って延びる。第一および第二アンカーボルトのシャンク部は、シャンク部センターラインを横切るシャンク部断面を有する。第一および第二アンカーボルトのシャンク部断面は、第一および第二アンカーボルトの拡径部断面よりも小さい。第一カップリングが、第一アンカーボルトを構造部材に固定するため第一アンカーボルトの第一端部に設けられ、第二カップリングが第一および第二アンカーボルトとを接続するため、第二アンカーボルトの第一端部に設けられる。第二カップリングは第一アンカーボルトのテール部の少なくとも一部を収容し、第一アンカーボルトを第二アンカーボルトに接続する。
【０００９】
これらにより、本明細書に記載されるアンカーボルト装置は、数多くの利点を示し、従来のアンカーボルトの問題点を克服する。第一に、本明細書に開示される第一カップリングの雌ねじ部により、第一アンカーボルトをさらに深くコンクリート基礎に埋設することが可能となる。従来のアンカーボルトに見られる雄ねじとは異なり、本明細書に記載される第一カップリングの雌ねじ部は、構造部材を第一アンカーボルト、ひいてはコンクリート基礎に固定するためにコンクリート基礎から突出する必要がない。したがって、第一アンカーボルトの第一端部をコンクリート基礎の取付面と面一に設置することが可能である。これにより、建設作業員および他の人員がコンクリート基礎から露出したアンカーボルトのねじ端部に躓いたり怪我をしたりする心配をする必要がない、より安全な作業現場を提供することができる。第二に、本明細書に記載される第二カップリングの構造により、複数のアンカーボルトを迅速かつ容易に接続可能となる。これにより、建設作業員が現場で作業対象となっているコンクリート基礎および建設構造の要件を満たすカスタム仕様のアンカーボルト装置を作成することができるようになる。これにより、より大きな現場での適応性が得られ、アンカーボルトの初期選択における誤り、および／またはコンクリート基礎への現場での変更のためにアンカーボルトを再発注しなくてはならないことに関して上述した問題点が低減および／または解消される。
【図面の簡単な説明】
【００１０】
本発明のその他の利点は、添付の図面と合わせて以下の詳細な説明を参照することにより、容易に理解されるであろう。これらの図面は以下を示す。
【図１】本願開示事項にしたがって構成される、円形断面を有する拡径部を備える例示的なアンカーボルト装置の分解側面図。
【図２】図１に示される例示的アンカーボルト装置の上面図。
【図３】図１に示される、コンクリート基礎に埋設された例示的なアンカーボルト装置を側面から見た一部分解断面図。
【図４】取付板に固定された締結具を有する図３に示される例示的なアンカーボルト装置を側面から見た断面図。
【図５】壁構造の底板に固定された締結具を有する図３に示される例示的なアンカーボルト装置を側面から見た断面図。
【図６】本願開示事項にしたがって構成される、矩形断面を有する別の例示的なアンカーボルト装置の側面図。
【図７】図６に示される例示的アンカーボルト装置の上面図。
【図８】本願開示事項にしたがって構成される、拡径部が六角形断面を有する別の例示的なアンカーボルト装置の側面図。
【図９】図８に示される例示的アンカーボルト装置の上面図。
【図１０】本願開示事項にしたがって構成される、ねじれた平坦部付シャンク部を有する別の例示的なアンカーボルト装置の側面図。
【図１１】本願開示事項にしたがって構成される、係止部材を有する別の例示的なアンカーボルト装置の分解側面図。
【図１２】図１１の線１２−１２に沿った図１１に示される例示的アンカーボルト装置の斜視断面図。
【図１３】本願開示事項にしたがって構成される、シャンク部とテール部との間に屈曲部を有する別の例示的なアンカーボルト装置の分解側面図。
【図１４】図１３の線１４−１４に沿った図１３に示される別の例示的アンカーボルト装置の斜視断面図。
【図１５】本願開示事項にしたがって構成される、第二アンカーボルトに接続される第一アンカーボルトを有する別の例示的なアンカーボルト装置の側面斜視図。
【図１６】コンクリート基礎に埋設され、第二アンカーボルトに接続された第一係止部材を有する図１５に示される例示的なアンカーボルト装置の、側面から見た一部分解断面図。
【図１７】第一および第二アンカーボルトの間に取り付けられた第二係止部材を有する図１６に示される例示的なアンカーボルト装置を側面から見た一部分解断面図。
【図１８】本願開示事項にしたがって構成される、屈曲する第一アンカーボルトと直線状の第二アンカーボルトとを有する別の例示的なアンカーボルト装置の側面斜視図。
【図１９】本願開示事項にしたがって構成される、フロート部を有する別の例示的なアンカーボルト装置の斜視側面図。
【図２０】図１９に示される例示的アンカーボルト装置の側面から見た分解斜視図。
【図２１】図１９に示される、コンクリート基礎に埋設された例示的なアンカーボルト装置を側面から見た断面図。
【図２２】本願開示事項にしたがって構成される、第一アンカーボルトと、第一アンカーボルトの第一端部に接続されるフロート部と、第一アンカーボルトの第二端部に接続される第二アンカーボルトとを有する別の例示的なアンカーボルト装置の側面斜視図。
【図２３】図２２に示される例示的アンカーボルト装置の側面から見た分解斜視図。
【発明を実施するための形態】
【００１１】
図面を参照してアンカーボルト装置２０を説明するが、図面を通じて同じ符号は対応する要素を示す。本明細書で開示されるアンカーボルト装置２０は、構造部材２２、２２’をコンクリート基礎２４に固定するのに利用可能である（図４および図５に示す通り）。通常、アンカーボルト装置２０は、コンクリート基礎２４が流し込まれた後、コンクリート基礎２４が硬化する前にコンクリート基礎２４に押し込まれる。これに変えて、アンカーボルト装置２０をコンクリート基礎２４を流し込む前に配置して、コンクリート基礎２４が流し込まれた時、コンクリート基礎２４のコンクリートがアンカーボルト装置２０の少なくとも一部の周囲に回り込むようにしても良い。いずれの場合でも、コンクリート基礎２４が硬化してコンクリート基礎２４がアンカーボルト装置２０の周囲で固まることで、アンカーボルト装置２０によって構造部材２２、２２’を取り付け可能な取付ポイントがコンクリート基礎２４に沿って設けられる。
【００１２】
例示的実施形態を、添付図面を参照してより十分に説明する。例示的実施形態を、本願開示を十全なものとし、当業者にその範囲を十分に伝えるよう示している。本願開示の実施形態の十全な理解を提供するため、具体的な構成要素、素子及び方法の例など、数多くの具体的詳細を記載している。当業者にとって、具体的な詳細を用いる必要はなく、例示的実施形態は多くの異なる形態で実装可能であり、また本願開示を限定するものと解釈すべきでないことは明らかであろう。いくつかの例示的実施形態において、公知の方法、公知の素子構造及び公知の技術は、詳細に記載されない。
【００１３】
本明細書中で用いられる用語は、具体的な例示的実施形態を記述することのみを目的とするものであり、限定的であることを意図しない。本明細書で使用される際、単数形は、明示されていない限り複数形も含むことを意図する。用語「備える」、「備えて」、「含んで」および「有して」は包括的であり、述べられた特徴、整数、工程、操作、要素、および／または部品の存在を特定する。しかし、１以上の特徴、整数、工程、操作、要素、部品および／または群の存在または追加を排除するものではない。本明細書で記載される方法工程、プロセスおよび操作は、実行順序として詳細に特定されない限り、必ずしも記載または図示された特定の順序で実行を要するものと解釈されるべきではない。追加工程または代替工程が用いられてもよいことも当然である。
【００１４】
要素または層が、他の要素または層「上に」ある、「に係合」、「に接続」または「に連結」すると記される場合、この要素または層は直接に他の要素または層上にあるか、係合、接続、または連結してもよい。または、介在要素または層があってもよい。一方、要素が、他の要素または層の「直接上に」ある、「に直接係合」、「に直接接続」または「に直接連結」すると記される場合、介在要素または層は存在しなくてよい。要素同士の関係を説明するのに使用される他の文言（例えば、「の間に」と「直接…の間に」、「隣接して」と「直接隣接して」など）は、同様に解釈されるべきである。本明細書で用いられる際、用語「および／または」は１以上の関連づけられたリスト項目の全ての組み合わせを含む。
【００１５】
第一、第二、第三等の用語が各種要素、部品、領域、層および／または切断面を説明するために本明細書で使用されるが、これらの要素、部品、領域、層および／または切断面はこれらの用語により限定されるものではない。これらの用語は、ある要素、部品、領域、層および／または切断面を他の領域、層または切断面から区別するためにのみ使用されてもよい。本明細書で使用される際の「第一」「第二」のような用語および他の数に関する用語は、文脈で明示されない限り、配列または順序を意味しない。したがって、下記で論じられる第一要素、部品、領域、層および／または切断面は、実施例の教示から逸脱することなく第二要素、部品、領域、層および／または切断面と称されることも可能である。
【００１６】
「インナー」、「アウター」、「真下に」、「下に」、「下側の」「上に」、「上部に」等のような空間的に相対的な用語が、図示する際、ある要素または特徴と他の要素または特徴との関係の記載を容易にするために、本明細書で使われてもよい。空間的に相対的な用語は、図示される向きに加えて、使用時または操作時における装置の異なる向きを包含するとしてもよい。例えば、図の装置がひっくり返ると、他の要素または特徴の「下に」または「真下に」と記載される要素は、他の要素または特徴の「上に」置かれるだろう。このように、例示の用語「下に」は上と下両方への向きを包含することが可能である。装置は他方向に向いてもよく（９０度回転または他の向きに）、本明細書で使用される空間関連記述子はそのように解釈される。
【００１７】
図１および図２を参照して、アンカーボルト装置２０の第一アンカーボルト２６を説明する。第一アンカーボルト２６は、第一端部２８と第二端部３０との間に延びる。第一アンカーボルト２６は、およそ、拡径部３２と、シャンク部３４とテール部３６とを備える。第一アンカーボルト２６の拡径部３２は、第一アンカーボルト２６の第一端部２８から拡径部センターライン３８に沿って延びる。第一アンカーボルト２６のテール部３６は、第一アンカーボルト２６の第二端部３０からテール部センターライン４０に沿って延びる。第一アンカーボルト２６のシャンク部３４は、第一アンカーボルト２６の拡径部３２とテール部３６との間に設けられ、シャンク部センターライン４２に沿って延びる。図１および図２に示されるように、第一アンカーボルト２６の拡径部センターライン３８、シャンク部センターライン４２、およびテール部センターライン４０は直線状であっても良い。上記に関わらず、第一アンカーボルト２６の拡径部センターライン３８、シャンク部センターライン４２、およびテール部センターライン４０は非直線状であっても良いことは当然である。限定的ではない例として、第一アンカーボルト２６の拡径部センターライン３８、シャンク部センターライン４２、およびテール部センターライン４０を曲線としても良い（図示略）。
【００１８】
第一アンカーボルト２６の拡径部３２は、第一アンカーボルト２６の第一端部２８と第一アンカーボルト２６のシャンク部３４との間に位置する外面４４を有する。第一アンカーボルト２６の拡径部３２は、第一アンカーボルト２６の拡径部センターライン３８を横断する拡径部断面４６を有する。第一アンカーボルト２６の拡径部断面４６は、通常、第一アンカーボルト２６の拡径部３２の外面４４によって囲まれる（すなわち、区画される）ものとして形成されても良い。第一アンカーボルト２６のテール部３６は、第一アンカーボルト２６の第二端部３０と第一アンカーボルト２６のシャンク部３４との間に位置する外面４８を有する。第一アンカーボルト２６のテール部３６は、第一アンカーボルト２６のテール部センターライン４０を横断するテール部断面５０を有する。第一アンカーボルト２６のテール部断面５０は、通常、第一アンカーボルト２６のテール部３６の外面４８によって囲まれる（すなわち、区画される）ものとして形成されても良い。第一アンカーボルト２６のシャンク部３４は、第一アンカーボルト２６の拡径部３２と第一アンカーボルト２６のテール部３６との間に設けられる外面５２を有する。第一アンカーボルト２６のシャンク部３４は、第一アンカーボルト２６のシャンク部センターライン４２を横断するシャンク部断面５４をも有する。第一アンカーボルト２６のシャンク部断面５４は、通常、第一アンカーボルト２６のシャンク部３４の外面５２によって囲まれる（すなわち、区画される）ものとして形成されても良い。第一アンカーボルト２６のシャンク部断面５４は、第一アンカーボルト２６の拡径部断面４６よりも小さい。一方、第一アンカーボルト２６のテール部断面５０の第一アンカーボルト２６のシャンク部断面５４に対する大きさは変更可能である。例えば、図１および図２に示される構成においては、第一アンカーボルト２６のテール部断面５０は、第一アンカーボルト２６のシャンク部断面５４と大きさが等しい。あるいは、第一アンカーボルト２６のテール部断面５０は、第一アンカーボルト２６のシャンク部断面５４よりも小さい、または大きいものとしても良い。図１および図２に示される構造においては、第一アンカーボルト２６の拡径部断面４６、テール部断面５０、およびシャンク部断面５４は、全て円形である。したがって、第一アンカーボルト２６の拡径部３２の外面４４、第一アンカーボルト２６のテール部３６の外面４８、および第一アンカーボルト２６のシャンク部３４の外面５２は、全て円筒形状である。上記に限られず、本願開示事項の範囲を逸脱しない範囲で、他の形状を採用しても良い（図６〜図９）ことは当然である。
【００１９】
引きつづき図１および図２を参照すると、第一アンカーボルト２６は第一アンカーボルト２６のシャンク部３４とテール部３６との間に設けられた屈曲部５６を有する。第一アンカーボルト２６の屈曲部５６において、第一アンカーボルト２６のシャンク部センターライン４２とテール部センターライン４０とは互いに第一角度５８で交差する。第一角度５８は、８５度から９５度の範囲であっても良い。限定的でない例として、図１および図２において、第一角度５８は９０度として示される。図１および図２に示されるように、第一アンカーボルト２６の拡径部センターライン３８およびシャンク部センターライン４２は同軸に配置される。加えて、第一アンカーボルト２６は、拡径部３２とシャンク部３４との間に配置される移行部６０を有する。第一アンカーボルト２６の移行部６０の断面は、第一アンカーボルト２６の拡径部３２から第一アンカーボルト２６のシャンク部３４に移動するにつれて徐々に先細り形状とされる。したがって、図１および図２に示される第一アンカーボルト２６の移行部６０は、錐台形状を有する。しかし、第一アンカーボルト２６の移行部６０は別の形状とされても良い。限定的でない例として、第一アンカーボルト２６の移行部６０は、段差を有しても良い（図示略）。
【００２０】
さらに図３に示されるように、第一アンカーボルト２６は、コンクリート基礎２４中に少なくとも部分的に収容される（すなわち、埋設ないし埋伏される）ように構成される。コンクリート基礎２４は、一般に取付面６２を有しても良い。例として、コンクリート基礎２４は、硬化中に水平とされたり、他の形で仕上げられることにより、コンクリート基礎２４の取付面６２が比較的平坦とされてもよい。図３に示されるような多くの場合、取付面６２は水平方向に延出するのに対し、第一アンカーボルト２６の拡径部３２とシャンク部３４とは垂直方向に延出する。しかし、このような向きは単に説明目的にすぎず、限定することを意図したものではない。第一アンカーボルト２６は、第一アンカーボルト２６の第一端部２８がコンクリート基礎２４の取付面６２と面一になるようにコンクリート基礎２４中に配置されても良い。このようにすることで、第一アンカーボルト２６のシャンク部３４、テール部３６および第二端部３０を含む第一アンカーボルト２６の大部分がコンクリート基礎２４中に埋設される。同様に図３に示されるように、テール部３６は第一アンカーボルト２６の第二端部３０と、第一アンカーボルト２６の屈曲部５６におけるテール部センターライン４０とシャンク部センターライン４２との交点との間でテール部センターライン４０に沿って測定可能である所定長さ６４を有する。この第一アンカーボルト２６のテール部３６の所定長さ６４により、コンクリート基礎２４中に第一円錐台６６が形成される。図３に示される第一円錐台６６は、第一アンカーボルト２６のシャンク部３４を包含する円錐形状で、第一アンカーボルト２６のテール部３６から上方に延出する。第一円錐台６６は、第一アンカーボルト２６の除去に抗するコンクリート基礎２４の部分を表す。
【００２１】
図１〜図５に示されるように、第一カップリング６８が第一アンカーボルト２６の第一端部２８に設けられる。この第一カップリング６８は、第一アンカーボルト２６を構造部材２２、２２’に固定するよう構成される。第一カップリング６８を異なる構造にすることは可能であり、これら全てが本願開示の範囲内と考えられるが、図示された例における第一カップリング６８は、第一アンカーボルト２６の第一端部２８から第一アンカーボルト２６の拡径部３２の内部に延びる雌ねじ部７０を有する。第一アンカーボルト２６の雌ねじ部７０は、雌ねじが設けられ、第一アンカーボルト２６の拡径部３２中で集結する（すなわち途切れる）穴であっても良い。図１および図３に示されるように、アンカーボルト装置２０は、第一カップリング６８の雌ねじ部７０を覆うねじ保護部７２を備えても良い。このねじ保護部７２は、第一カップリング６８の雌ねじ部７０内に収容される大きさのプラグ部７４を有する。第一カップリング６８の雌ねじ部７０内に差し込まれると、ねじ保護部７２は、第一カップリング６８の雌ねじ部７０をコンクリート基礎２４の流し込み、均し、および／または仕上げ作業時の飛散物から保護する。このねじ保護部７２はさらにプラグ部７４から径方向外側に延びるフランジ部７６を備えても良い。このねじ保護部７２のフランジ部７６は、ねじ保護部７２のプラグ部７４が第一カップリング６８の雌ねじ部７０に収容された時に、第一アンカーボルト２６の第一端部２８と当接する。
【００２２】
図４および図５に示されるように、アンカーボルト装置２０はさらにヘッド８０と軸部８２とを有する締結具７８を備える。締結具７８の軸部８２には雄ねじが設けられ、第一カップリング６８の雌ねじ部７０に挿入可能とされる。したがって、締結具７８の軸部８２は、第一カップリング６８の雌ねじ部７０内に螺合して保持可能である。このように、この締結具７８は、第一アンカーボルト２６を構造部材２２、２２’に接続するのに利用可能である。図４および図５に示されるように、構造部材２２、２２’はコンクリート基礎２４の取付面６２上に配置されても良く、内部に開口部８４を有しても良い。この一つ以上の開口部８４は構造部材２２を完全に貫通し、締結具７８の軸部８２を収容する大きさとされる。使用時には、この締結具７８の軸部８２は構造部材２２の開口部８４の一つ、および第一カップリング６８の雌ねじ部７０に挿入される。締結具７８のヘッド８０は、開口部８４近傍の構造部材２２に当接するよう構成され、これにより、締結具７８の軸部８２が第一カップリング６８の雌ねじ部７０に螺合されるのに伴い、構造部材２２を第一アンカーボルト２６の拡径部３２に固定する。
【００２３】
図４に示されるように、構造部材２２、２２’は、型板２２として構成される。図４に示されるように、一つ以上の型板８６を用いてコンクリート基礎２４を固定しても良い。このような型板８６を用いて、コンクリート基礎２４が流し込まれる際に、コンクリートが型板８６によって制限された領域内に集まり硬化するようコンクリートの流れを制限して、コンクリート基礎２４の大きさと形状とを規定しても良い。型板２２を用いて第一アンカーボルト２６をコンクリート基礎２４中に位置決めしても良い。このようにこの型板２２はコンクリート基礎２４の取付面６２上に配置され、さらに型板８６によって支持され固定されても良い。この型板２２により、締結具７８の軸部８２を収容する大きさの一つ以上の開口部８４が形成される。第一アンカーボルト２６をコンクリート基礎２４内に位置決めするには、締結具７８の軸部８２を型板２２に設けられた開口部８４の一つを通して挿入し、第一カップリング６８の雌ねじ部７０に螺合する。コンクリート基礎２４が硬化したら、締結具７８を第一カップリング６８の雌ねじ部７０から取り外して型板の開口部８４から抜き取っても良い。型板２２と型板８６とを、その後廃棄しても良い。
【００２４】
図５に示されるように、構造部材２２、２２’は、壁構造（図示略）の底板２２、２２’として構成される。限定的でない形で例示すると、底板２２’は一枚の板、または複数の積層板（２ｘ４、２ｘ６、２ｘ８、２ｘ１０、２ｘ１２、４ｘ４、６ｘ６、または８ｘ８寸法の製材など）を含んで良い。図５に示されるように、底板２２’はコンクリート基礎２４の取付面６２上に配置されて設置される。この底板２２’により、締結具７８の軸部８２を収容する大きさの一つ以上の開口部８４が形成される。底板２２’をコンクリート基礎２４上に設置するには、締結具７８の軸部８２を底板２２’に設けられた開口部８４の一つを通して挿入し、第一カップリング６８の雌ねじ部７０に螺合して底板２２’を第一アンカーボルト２６の拡径部３２に固定する。円盤状のワッシャ８８を締結具７８のヘッド８０と底板２２’との間に配置しても良い。この場合、ワッシャ８８は締結具７８の軸部８２の周囲に環状に延びて、締結具７８のヘッド８０が壁構造の底板２２’を貫通して抜けることを防止するのに資する。本明細書で図示され説明された実施例に関わらず、構造部材２２、２２’は壁構造の型板２２または底板２２’である必要はない。加えて、構造部材２２、２２’は各種の異なる形状および大きさとされて良く、木材または、限定的ではないが、各種金属などの他の材料からなるものでも良い。
【００２５】
上述のように、第一アンカーボルト２６の拡径部断面４６、テール部断面５０、およびシャンク部断面５４の構造は円形であるものの、第一アンカーボルト２６は、これらの要素が異なる形状を有するように構成可能である。さらに、第一アンカーボルト２６の拡径部断面４６、テール部断面５０、およびシャンク部断面５４は、全て同じ形状であっても良く、互いに異なる形状であっても良く、各種の組み合わせが可能である。例えば、図６〜図９において、第一アンカーボルト２６の拡径部断面４６および／またはシャンク部断面５４は、少なくとも一つの平坦面９０を有する。より具体的に、図６および図７の第一アンカーボルト２６の拡径部断面４６およびシャンク部断面５４は、それぞれ合計で４つの平坦面９０を有し、矩形形状である。これに対し、テール部断面５０は円形形状である。図８および図９に示される別の実施形態では、第一アンカーボルト２６の拡径部断面４６は、合計で６つの平坦面９０を有し、六角形形状である。この構造によれば、テール部断面５０とシャンク部断面５４の双方が円形形状である。この平坦面９０はコンクリート基礎２４中の第一アンカーボルト２６の回動に抗し、これによって、第一アンカーボルト２６とコンクリート基礎２４との間により強固な機械的結合を形成する。別の構成が図１０に示される。図１０中で、テール部断面５０およびシャンク部断面５４は円形形状であり、第一アンカーボルト２６のシャンク部３４の外面５２は、第一アンカーボルト２６のシャンク部３４に沿って螺旋状に延びる一つ以上のねじれ平坦部９２を有する。この代替構成は、ねじれ平坦部９２がコンクリート基礎２４から第一アンカーボルト２６が引き抜かれるのに対する抵抗となる点で有利である。
【００２６】
アンカーボルト装置２０の別の実施形態が図１１〜図１４に示される。この中では、アンカーボルト装置２０は、第一アンカーボルト２６の第二端部３０に設けられた第二カップリング９４を備える。第一係止部材９６が、第一アンカーボルト２６の第二端部３０に第二カップリング９４によって接続される。この第一係止部材９６は、第一アンカーボルト２６のテール部３６の外面４８から外方向に延出し、コンクリート基礎２４中で第一円錐台６６を形成する（図３参照）。第一係止部材９６はテール部センターライン４０に対して傾斜する第一係止部材平面９８内で延出する矩形の板状であるが、これに限らず、例えば非平面形状であっても良い。第二カップリング９４は、第一アンカーボルト２６のテール部３６の外面４８から外方に延出するカラー１００と、第二カップリング９４のカラー１００と第一アンカーボルト２６の第二端部３０との間に設けられたスタッド１０２とを有する。別の数多くの形状および構造としても良いが、第二カップリング９４のカラー１００は末広がり形状（ｆｌｕｔｅｄ  ｓｈａｐｅ）であり、第二カップリング９４のスタッド１０２には雄ねじが設けられ、第一係止部材９６は第二カップリング９４のスタッド１０２が挿入される貫通孔１０４を有する。ナット１０６が第二カップリング９４のスタッド１０２に螺合され、第一係止部材９６を第二カップリング９４のスタッド１０２上に保持する。これにより、ナット１０６が第二カップリング９４のスタッド１０２に螺合された時、第一係止部材９６は、第二カップリング９４のカラー１００とナット１０６との間で保持される。アンカーボルト装置２０が、第一アンカーボルト２６の第二端部３０に第二カップリング９４を有する構成においては、第一アンカーボルト２６は湾曲してもしなくても良い。例えば、図１１および図１２に示される構成では、第一アンカーボルト２６の拡径部センターライン３８、シャンク部センターライン４２、およびテール部センターライン４０は同軸配置される。あるいは、図１３および図１４に示される構成では、第一アンカーボルト２６は屈曲部５６を有し、シャンク部センターライン４２およびテール部センターライン４０が第一角度５８で交差する。いくつかの例において、第一アンカーボルト２６は、シャンク部センターライン４２とテール部センターライン４０との間の屈曲部５６での第一角度５８が４０度から５０度の範囲となるように構成されても良い。限定的でない例として、図１３および図１４において、第一角度５８は４５度として示される。
【００２７】
図１５〜図１８に示されるように、アンカーボルト装置２０は、さらに第一アンカーボルト２６のテール部３６に第二カップリング９４によって接続される第二アンカーボルト１０８を備える。図示された例では、この第二アンカーボルト１０８は、およそ上述の第一アンカーボルト２６の全てまたは大部分の要素を備える。第二アンカーボルト１０８は第一アンカーボルト２６と同一（図１４〜図１６）またはほぼ同一（図１７）であり、建設業者は第一および第二アンカーボルト２６、１０８を単独で容易に用いることができ、または以下で説明されるアンカーボルト装置２０を第一および第二アンカーボルト２６，１０８を第二カップリング９４で接続することにより作成することができる。有利なのは、これにより、必要な材料を容易に入手することができ、コンクリート基礎２４の大きさおよび形状に応じて異なるサイズおよび構造の特殊なアンカーボルト装置２０を発注する必要なしに建設業者が現場で容易に調整可能なことである。
【００２８】
上述の第一アンカーボルト２６のように、第二アンカーボルト１０８は第一端部２８と第二端部３０との間に延びる。第二アンカーボルト１０８は、拡径部３２’、シャンク部３４’、およびテール部３６’をも備える。第二アンカーボルト１０８の拡径部３２’は、第二アンカーボルト１０８の第一端部２８’から拡径部センターライン３８’に沿って延びる。第二アンカーボルト１０８の拡径部３２’は外面４４’を有し拡径部断面４６’を形成する。拡径部断面４６’は第二アンカーボルト１０８の拡径部センターライン３８’を横切るよう配置される。第二アンカーボルト１０８のテール部３６’は、第二アンカーボルト１０８の第二端部３０’からテール部センターライン４０’に沿って延びる。第二アンカーボルト１０８のテール部３６’は外面４８’を有しテール部断面５０’を形成する。テール部断面５０’は第二アンカーボルト１０８のテール部センターライン４０’を横切るよう配置される。第二アンカーボルト１０８のシャンク部３４’は、第二アンカーボルト１０８の拡径部３２’とテール部３６’との間に設けられ、シャンク部センターライン４２’に沿って延びる。第二アンカーボルト１０８のシャンク部３４’は外面５２’を有しシャンク部断面５４’を形成する。シャンク部断面５４’は第二アンカーボルト１０８のシャンク部センターライン４２’を横切るよう配置される。第二アンカーボルト１０８のシャンク部断面５４’は、第二アンカーボルト１０８の拡径部断面４６’よりも小さい。図１５〜図１８に示される例では、第二アンカーボルト１０８のシャンク部断面５４’は、第二アンカーボルト１０８のテール部断面５０’と同じ大きさである。しかし、他の構成であっても良く、第二アンカーボルト１０８のテール部断面５０’を、第二アンカーボルト１０８のシャンク部断面５４’よりも大きい、または小さいものとしても良い。
【００２９】
図１５〜図１８に示される実施形態では、第二カップリング９４は第二アンカーボルト１０８の第一端部２８’から第二アンカーボルト１０８の拡径部３２’内部に延びる雌ねじ部７０’を有する。第二カップリング９４の雌ねじ部７０’は、雌ねじが設けられ、第二アンカーボルト１０８の拡径部３２’中で終結する（すなわち途切れる）穴であっても良い。したがって、（第二アンカーボルト１０８の拡径部３２’内に設けられる）第二カップリング９４の雌ねじ部７０’は、（第一アンカーボルト２６のテール部３６の一部である）第二カップリング９４のスタッド１０２に螺合される。したがって、第一アンカーボルト２６のテール部３６は、第二カップリング９４によって、第二アンカーボルト１０８の拡径部３２’に着脱自在に接続される。
【００３０】
図１５〜図１７に示されるように、第二アンカーボルト１０８は第二アンカーボルト１０８のシャンク部３４’とテール部３６’との間に設けられた屈曲部５６’を有する。第二アンカーボルト１０８のシャンク部センターライン４２’とテール部センターライン４０’とは、第二アンカーボルト１０８の屈曲部５６’において第二角度１１０で互いに交差する。第二アンカーボルト１０８のシャンク部センターライン４２’とテール部センターライン４０’との間の第二角度１１０は４０度から５０度の範囲であっても良い。限定的でない例として、図１５〜図１７において、第二角度１１０は４５度として示される。したがって、第一アンカーボルト２６の屈曲部５６の第一角度５８と第二アンカーボルト１０８の屈曲部５６’の第二角度１１０との合計は９０度と等しくされても良い。なお、図１５には、アンカーボルト装置２０が動作中に受ける第一アンカーボルト２６の拡径部３２に加えられる持ち上げ力１１２と第二アンカーボルト１０８のテール部３６’に加えられる対向力（ｃｏｕｎｔｅｒ  ｆｏｒｃｅ）１１４とを含む力１１２、１１４が示される。なお、対向力１１４は、持ち上げ力１１２が第一アンカーボルト２６の拡径部３２に加えられた時にコンクリート基礎２４によって生じる。有利なことに、第一アンカーボルト２６の屈曲部５６、および／または第二アンカーボルト１０８の屈曲部５６’により、持ち上げ力１１２に対する対向力１１４の向きが変わり、対向力１１４が持ち上げ力１１２と平行でなくなる。これにより、持ち上げ力１１２をより多くのコンクリート基礎２４に分散させ、引抜力向上につながる。
【００３１】
引きつづき図１５〜図１７を参照すると、アンカーボルト装置２０は第二アンカーボルト１０８の第二端部３０’に設けられる第三カップリング１１６を備える。第三カップリング１１６は、第二アンカーボルト１０８のテール部３６’の外面４８’から外方に延出するカラー１００’と、第三カップリング１１６のカラー１００’と第二アンカーボルト１０８の第二端部３０’との間に設けられたスタッド１０２’とを有する。第三カップリング１１６のカラー１００’とスタッド１０２’とは様々な形で形成可能であるが、図示された例では、第三カップリング１１６のカラー１００’は先細り形状（ｆｌｕｔｅｄ  ｓｈａｐｅ）であり、第三カップリング１１６のスタッド１０２’は雄ねじを有する。
【００３２】
図１６および図１７に示されるように、第二アンカーボルト１０８は全体的にコンクリート基礎２４内に収容され、第二アンカーボルト１０８が完全にコンクリート基礎２４内に埋設される。図１６は、アンカーボルト装置２０が第三カップリング１１６において第二アンカーボルト１０８のテール部３６’に接続される第一係止部材９６を有しても良いことを示し、図１７はアンカーボルト装置２０が第二カップリング９４において第一アンカーボルト２６のテール部３６に接続される第二係止部材１１８を有しても良いことを示す。有利なことに、第一アンカーボルト２６の屈曲部５６および／または第二アンカーボルト１０８の屈曲部５６’により、第一係止部材９６および／または第二係止部材１１８を型板８６から離隔配置可能となり、これによって、よりコンクリート基礎２４の中央に配置することができる。これは、第一アンカーボルト２６の第一端部２８を型板８６近傍に配置する必要がある場合に特に有利である。第一係止部材９６および／または第二係止部材１１８をコンクリート基礎２４の強度が最も高い所に配置することにより、アンカーボルト装置２０の引抜抵抗が向上する。
【００３３】
アンカーボルト装置２０が第一係止部材９６を有する場合（図１５）、第一係止部材９６は、第三カップリング１１６により第二アンカーボルト１０８の第二端部３０と接続される。具体的に、第一係止部材９６は第二アンカーボルト１０８のテール部３６の外面４８から離れる方向に外側に延出する。第一係止部材９６は様々な形で形成可能であるものの、第一係止部材９６は板状形状であっても良く、また本実施形態では第二アンカーボルト１０８のテール部センターライン４０’に対して傾斜する第一係止部材平面９８内で延出しても良い。これにより、第一係止部材９６によって形成されるコンクリート基礎２４中の第一円錐台６６は円錐形状であり、第二アンカーボルト１０８のシャンク部３４’を包含する。第一係止部材９６中の貫通孔１０４には、第三カップリング１１６のスタッド１０２’が挿通される。ナット１０６が第三カップリング１１６のスタッド１０２’に螺合され、第一係止部材９６を第三カップリング１１６のスタッド１０２’上に保持する。これにより、第一係止部材９６は、（第二アンカーボルト１０８のテール部３６’の外面４８’から延出する）第三カップリング１１６のカラー１００’とナット１０６との間に保持される。
【００３４】
アンカーボルト装置２０が、第一係止部材９６と第二係止部材１１８（図１６）との双方を有する場合、第二係止部材１１８は（第一アンカーボルト２６のテール部３６の外面４８から延出する）第二カップリング９４のカラー１００と、第二アンカーボルト１０８の第一端部２８’との間に設けられる。第二係止部材１１８は第一アンカーボルト２６のテール部３６の外面４８から離れる方向に外側に延出する。第二係止部材１１８は様々な形で形成可能であるものの、第二係止部材１１８は板状形状であっても良く、また本実施形態では第一アンカーボルト２６のテール部センターライン４０に対して傾斜する第二係止部材平面１２０内で延出しても良い。これにより、第二係止部材１１８は、円錐形状とされ第一アンカーボルト２６のシャンク部３４を包含する第二円錐台１２２をコンクリート基礎２４中に形成する。第二係止部材１１８は第二カップリング９４のスタッド１０２が挿通される貫通孔１０４’を有する。したがって、第二係止部材１１８は、（第一アンカーボルト２６の一部である）第二カップリング９４のスタッド１０２が第二係止部材１１８の貫通孔１０４’に挿通され、（第二アンカーボルト１０８の拡径部３２’内に延びる）第二カップリング９４の雌ねじ部７０’に螺合される時にアンカーボルト装置２０に保持される。
【００３５】
上述の第一アンカーボルト２６に関する変形例の全ては、第二アンカーボルト１０８にも適用可能であることは当然である。例えば、第二アンカーボルト１０８は、第二アンカーボルト１０８の拡径部３２’とシャンク部３４’との間に設けられた移行部６０’を備えても良い。図示される例においては、第二アンカーボルト１０８の拡径部断面４６’、テール部断面５０’、およびシャンク部断面５４’は、全て円形である。これに代えて、第二アンカーボルト１０８の拡径部断面４６’および／またはシャンク部断面５４’は、コンクリート基礎２４に対する第二アンカーボルト１０８の回動に抗する（図６〜図９に示されるもののような）少なくとも一つの平坦面を有しても良い。あるいは、第二アンカーボルト１０８のシャンク部３４’の外面５２’には、第二アンカーボルト１０８のシャンク部３４’に沿って螺旋状に延びる（図１０に示されるもののような）少なくとも一つのねじれ平坦部が設けられても良い。第二アンカーボルト１０８の拡径部センターライン３８’、シャンク部センターライン４２’、およびテール部センターライン４０’は、図１５〜図１８に示されるように直線状であっても良く、あるいは湾曲しても良く、異なる特線部と湾曲部との組み合わせが可能である。図１８に示されるように、第一アンカーボルト２６は折り曲げられる一方、第二アンカーボルト１０８は直線状でも良い。この構造によれば、第一アンカーボルト２６は、第一アンカーボルト２６のシャンク部３４とテール部３６との間に屈曲部５６を有し、第二アンカーボルト１０８の拡径部センターライン３８’、シャンク部センターライン４２’、およびテール部センターライン４０’は直線状とされ、互いに同軸配置される。したがって、第一係止部材９６は、第一アンカーボルト２６のシャンク部３４に対して図１５〜図１７に示されるものとは異なる向きに配置される。
【００３６】
図１９〜図２３を参照すると、アンカーボルト装置２０は、第一アンカーボルト２６の拡径部３２に着脱自在に保持されるフロート部１２４を有しても良い。これにより、フロート部１２４は、第一アンカーボルト２６の第一係止部材９６とナット１０６とは反対側に配置される。フロート部１２４は、およそ、互いに一体とされても良い基板１２６とネック１２８とを備える。フロート部１２４の基板１２６は、第一アンカーボルト２６の拡径部センターライン３８に対して傾斜する基板平面１３０内で延びる。使用時、フロート部１２４は、ネック１２８が少なくとも部分的にコンクリート基礎２４に埋設され、基板面がコンクリート基礎２４の取付面６２と揃うようにコンクリート基礎２４上に位置しても良い。これにより、基板１２６は、コンクリート基礎２４が硬化する際、コンクリート基礎２４の取付面６２とコンクリート基礎２４中のアンカーボルト装置２０のフロート部１２４上に位置する。
【００３７】
フロート部１２４のネック１２８は、基板１２６から、第一アンカーボルト２６の拡径部センターライン３８と平行な方向に基板１２６と離隔されたリム１３２へ垂下する。フロート部１２４のネック１２８は、第一アンカーボルト２６の拡径部３２の少なくとも一部の周囲に環状に延び、リム１３２からフロート部１２４のネック１２８に向けて内側に延びるキャビティ１３４を形成する。キャビティ１３４は、第一アンカーボルト２６の第一端部２８と、第一アンカーボルト２６の拡径部３２の少なくとも一部とを収容する大きさとされる。フロート部１２４は、フロート部１２４のネック１２８と第一アンカーボルト２６の拡径部３２の外面４４の少なくとも一部との間の摩擦により、第一アンカーボルト２６の拡径部３２上に着脱自在に保持されても良い。フロート部１２４の基板１２６とネック１２８とは合わせて、フロート部１２４のキャビティ１３４に開口する凹部１３６を、リム１３２と反対側のフロート部１２４に形成しても良い。このフロート部１２４内の凹部１３６は、締結具７８、より具体的には締結具７８のヘッド８０を収容する大きさとされる。締結具７８の軸部８２がフロート部１２４内の凹部１３６およびキャビティ１３４に挿入され、第一カップリング６８の雌ねじ部７０に螺合されることで、コンクリート基礎２４の硬化中、締結具７８が第一アンカーボルト２６の拡径部３２上のフロート部１２４に一時的に保持される。フレキシブルカバー１３８が設けられても良い。このフレキシブルカバー１３８は、締結具７８がフロート部１２４の凹部１３６とキャビティ１３４とに収容される際に、締結具７８のヘッド８０を覆うため、フロート部１２４内の凹部１３６に収容される大きさとされる。したがって、フレキシブルカバー１３８は、コンクリート基礎２４が流し込まれ、均され、および／または仕上げられる際に飛散物から締結具７８のヘッド８０を保護するのに役立つ。
【００３８】
フロート部１２４のネック１２８は、ネック１２８を貫通してキャビティ１３４に開口する一つ以上のベント１４０を有しても良い。このベント１４０は、フロート部１２４が取付面６２からコンクリート基礎２４に押し込まれる際に、フロート部１２４の基板１２６の背後（すなわち下）から空気を抜く。ベント１４０により少量のコンクリートがフロート部１２４のキャビティ１３４に入り込み、コンクリート基礎２４内の第一アンカーボルト２６をより強く保持する。これにより、コンクリート基礎２４が硬化する際に、コンクリート基礎２４と第一アンカーボルト２６の拡径部３２との間の結合をより強固なものとできる。ベント１４０は様々な構造として良いが、図示された例では、ベント１４０はネック１２８のリム１３２からフロート部１２４の基板１２６に向けて延びるスロットまたはノッチとして形成される。フロート部１２４は基板１２６から先端１４４に向けて外側に延出するオフセットタブ１４２を有しても良い。オフセットタブ１４２は基板平面１３０内に配置されても良い。このオフセットタブ１４２は、第一アンカーボルト２６の拡径部センターライン３８とフロート部１２４の先端１４４との間の基板平面１３０内で測定可能なオフセット距離１４６を規定する。図２１に示されるように、フロート部１２４の先端１４４をコンクリート基礎２４の型板８６の一つと当接させることで、オフセットタブ１４２を第一アンカーボルト２６の拡径部３２を型板８６からオフセット距離１４６離隔させるのに用いることができる。図２２および図２３を参照すると、フロート部１２４は、アンカーボルト装置２０が第一アンカーボルト２６と第二アンカーボルト１０８の双方を含む構造にも同様に適用可能である。このような構造において、フロート部１２４は、第一係止部材９６およびナット１０６と反対側に配置される第一アンカーボルト２６の拡径部３２上に着脱自在に保持される。図２２および図２３は、第一および第二アンカーボルト２６、１０８の双方が直線状である実施形態を示す。すなわち、第一アンカーボルト２６の拡径部センターライン３８、テール部センターライン４０およびシャンク部センターライン４２と、第二アンカーボルト１０８の拡径部センターライン３８’、テール部センターライン４０’およびシャンク部センターライン４２’とは直線状であり、全て互いに同軸に配置される。
【００３９】
本発明については、上記開示事項に照らし、数多くの変形例が可能であり、添付請求項の範囲内で具体的に記載されるのとは別の形で実施可能なことは明らかである。これらの先行記載は、発明性のある新規性（ｉｎｖｅｎｔｉｖｅ  ｎｏｖｅｌｔｙ）が有用である任意の組み合わせをカバーするものと解釈されるべきである。装置クレーム中の「前記（ｔｈｅ）」との単語の使用は、請求項の範囲内に含まれることを意図する積極的記載である先行的基礎を指し示すが、この「前記（ｔｈｅ）」との単語は、請求項の範囲に含まれることを意図しない用語に前置される。
【図１】
0006567645.tif 000002
【図２】
0006567645.tif 000003
【図３】
0006567645.tif 000004
【図４】
0006567645.tif 000005
【図５】
0006567645.tif 000006
【図６】
0006567645.tif 000007
【図７】
0006567645.tif 000008
【図８】
0006567645.tif 000009
【図９】
0006567645.tif 000010
【図１０】
0006567645.tif 000011
【図１１】
0006567645.tif 000012
【図１２】
0006567645.tif 000013
【図１３】
0006567645.tif 000014
【図１４】
0006567645.tif 000015
【図１５】
0006567645.tif 000016
【図１６】
0006567645.tif 000017
【図１７】
0006567645.tif 000018
【図１８】
0006567645.tif 000019
【図１９】
0006567645.tif 000020
【図２０】
0006567645.tif 000021
【図２１】
0006567645.tif 000022
【図２２】
0006567645.tif 000023
【図２３】
0006567645.tif 000024